(57)【要約】【課題】装置の操作部と同等の使い勝手で機器をユーザーに操作させ、機能を実行することができる機器の機能実行方法を提供する。【解決手段】操作パネルと、操作パネルに対する操作によって印刷データを作成する装置制御部と、を備えた第１印刷装置の操作パネルのイメージである操作パネルイメージを、端末ディスプレイ５が表示するステップと、タッチセンサーが、操作パネルイメージに対する操作を検出するステップと、機器制御部が、操作パネルイメージに対する操作の検出に基づいて、印刷データを作成するステップとを実行する。【選択図】図１８
2017058748.tif 000002
【特許請求の範囲】
【請求項１】
操作部と、前記操作部に対する操作によって機能を実行する装置機能実行部と、を備えた装置の前記操作部のイメージである操作部イメージを、機器表示部が表示するステップと、
検出部が、前記操作部イメージに対する操作を検出するステップと、
機器機能実行部が、前記操作部イメージに対する操作の検出に基づいて、前記機能を実行するステップと、
を実行することを特徴とする機器の機能実行方法。
【請求項２】
前記装置は、前記操作部の仕様が異なる複数の機種を備え、
前記機器表示部が、複数の前記機種を選択可能に表示し、複数の前記機種のなかから一の前記機種を選択させるステップ、をさらに実行し、
前記操作部イメージを表示するステップにおいて、前記機器表示部が、前記操作部イメージとして、選択された前記機種の前記操作部のイメージを表示することを特徴とする請求項１に記載の機器の機能実行方法。
【請求項３】
前記操作部は、文字の入力操作を受け付ける文字入力部、を有し、
前記装置機能実行部は、前記機能として、前記文字入力部に対する操作によって入力された文字に基づいて、印刷データを作成し、
前記装置は、前記印刷データに基づいて、印刷を行う印刷部、をさらに備え、
前記操作部イメージを表示するステップにおいて、前記機器表示部が表示する前記操作部イメージには、前記文字入力部のイメージであり、文字の入力操作を受け付ける文字入力部イメージが含まれ、
前記機能を実行するステップにおいて、前記機器機能実行部が、前記機能として、前記文字入力部イメージに対する操作によって入力された文字に基づいて、前記印刷データを作成することを特徴とする請求項１または２に記載の機器の機能実行方法。
【請求項４】
前記装置は、前記文字入力部に対する操作によって入力された文字を表示する装置表示部、をさらに備え、
前記機器表示部が、前記装置表示部のイメージであり、前記文字入力部イメージに対する操作によって入力された文字を表示した表示部イメージを表示するステップ、をさらに実行することを特徴とする請求項３に記載の機器の機能実行方法。
【請求項５】
データ送信部が、前記機能を実行するステップにおいて作成された前記印刷データを、受信した前記印刷データに基づいて印刷を行う前記装置、または、前記印刷データを作成する前記機能を有さずに受信した前記印刷データに基づいて印刷を行う他の装置、に対して送信するステップ、をさらに実行することを特徴とする請求項３または４に記載の機器の機能実行方法。
【請求項６】
操作部と、前記操作部に対する操作によって機能を実行する装置機能実行部と、を備えた装置の前記操作部のイメージである操作部イメージを表示する機器表示部と、
前記操作部イメージに対する操作を検出する検出部と、
前記操作部イメージに対する操作の検出に基づいて、前記機能を実行する機器機能実行部と、
を備えたことを特徴とする機器。
【請求項７】
コンピューターに、請求項１ないし５のいずれか一項に記載の機器の機能実行方法における各ステップを実行させることを特徴とするプログラム。
【発明の詳細な説明】
【技術分野】
【０００１】
本発明は、ユーザーからの操作によって機能を実行する機器の機能実行方法、機器およびプログラムに関するものである。
【背景技術】
【０００２】
従来、リモコン装置と、リモコン装置に対する操作によって湯沸かし機能を実行する被制御機器とを備えた給湯機が知られている（特許文献１参照）。
【先行技術文献】
【特許文献】
【０００３】
【特許文献１】特開２００９−２５３９４６号公報
【発明の概要】
【発明が解決しようとする課題】
【０００４】
本発明者は、以下の課題を見出した。
操作部と、操作部に対する操作によって機能を実行する装置機能実行部と、を備えた装置に代えて、その装置とは別の機器を操作することにより、同様の機能を実行することが考えられる。しかしながら、機器の操作性が、装置の操作部の操作性と異なる場合には、装置の操作部を使い慣れたユーザーにとっては、機器を思うように操作することができず、不便である。
【０００５】
本発明は、装置の操作部と同等の使い勝手で機器をユーザーに操作させ、機能を実行することができる機器の機能実行方法、機器およびプログラムを提供することを課題としている。
【課題を解決するための手段】
【０００６】
本発明の機器の機能実行方法は、操作部と、操作部に対する操作によって機能を実行する装置機能実行部と、を備えた装置の操作部のイメージである操作部イメージを、機器表示部が表示するステップと、検出部が、操作部イメージに対する操作を検出するステップと、機器機能実行部が、操作部イメージに対する操作の検出に基づいて、機能を実行するステップと、を実行することを特徴とする。
【０００７】
本発明の機器は、操作部と、操作部に対する操作によって機能を実行する装置機能実行部と、を備えた装置の操作部のイメージである操作部イメージを表示する機器表示部と、操作部イメージに対する操作を検出する検出部と、操作部イメージに対する操作の検出に基づいて、機能を実行する機器機能実行部と、を備えたことを特徴とする。
【０００８】
本発明のプログラムは、コンピューターに、上記の機器の機能実行方法における各ステップを実行させることを特徴とする。
【０００９】
この構成では、ユーザーが、操作部に対して操作を行うのと同様にして、機器表示部に表示された操作部イメージに対して操作を行うことができる。そして、機器機能実行部が、操作部イメージに対する操作の検出に基づいて、機能を実行する。したがって、本構成によれば、装置の操作部と同等の使い勝手で機器をユーザーに操作させ、機能を実行することができる。
【００１０】
上記の機器の機能実行方法において、装置は、操作部の仕様が異なる複数の機種を備え、機器表示部が、複数の機種を選択可能に表示し、複数の機種のなかから一の機種を選択させるステップ、をさらに実行し、操作部イメージを表示するステップにおいて、機器表示部が、操作部イメージとして、選択された機種の操作部のイメージを表示することが好ましい。
【００１１】
この構成では、ユーザーが、複数の機種のなかから、所望の機種を選択することができる。したがって、本構成によれば、所望の機種の操作部と同等の使い勝手で、機器をユーザーに操作させることができる。
【００１２】
この場合、操作部は、文字の入力操作を受け付ける文字入力部、を有し、装置機能実行部は、機能として、文字入力部に対する操作によって入力された文字に基づいて、印刷データを作成し、装置は、印刷データに基づいて、印刷を行う印刷部、をさらに備え、操作部イメージを表示するステップにおいて、機器表示部が表示する操作部イメージには、文字入力部のイメージであり、文字の入力操作を受け付ける文字入力部イメージが含まれ、機能を実行するステップにおいて、機器機能実行部が、機能として、文字入力部イメージに対する操作によって入力された文字に基づいて、印刷データを作成することが好ましい。
【００１３】
この構成では、ユーザーが、文字入力部に対して操作を行うのと同様にして、機器表示部に表示された文字入力部イメージに対して操作を行うことができる。そして、機器機能実行部が、文字入力部イメージに対する操作によって入力された文字に基づいて、印刷データを作成する。したがって、本構成によれば、装置の文字入力部と同等の使い勝手で機器をユーザーに操作させ、印刷データを作成することができる。
【００１４】
この場合、装置は、文字入力部に対する操作によって入力された文字を表示する装置表示部、をさらに備え、機器表示部が、装置表示部のイメージであり、文字入力部イメージに対する操作によって入力された文字を表示した表示部イメージを表示するステップ、をさらに実行することが好ましい。
【００１５】
この構成によれば、文字入力部イメージに対する操作によって入力された文字をユーザーに確認させながら、機器をユーザーに操作させることができる。
【００１６】
この場合、データ送信部が、機能を実行するステップにおいて作成された印刷データを、受信した印刷データに基づいて印刷を行う装置、または、印刷データを作成する機能を有さずに受信した印刷データに基づいて印刷を行う他の装置、に対して送信するステップ、をさらに実行することが好ましい。
【００１７】
この構成によれば、装置が手元に無い場合でも、装置の文字入力部と同等の使い勝手で機器をユーザーに操作させることにより、装置または他の装置に印刷を行わせることができる。
【図面の簡単な説明】
【００１８】
【図１】本発明の一実施形態に係る端末機器が作成した印刷データに基づいて印刷を実行可能なテープ印刷装置であって、操作パネルを備えたテープ印刷装置（第１印刷装置）の外観図である。
【図２】第１印刷装置の機種Ａを示す図である。
【図３】第１印刷装置の機種Ｂを示す図である。
【図４】第１印刷装置の構成を示すブロック図である。
【図５】テープ印刷装置を操作してラベルを作成する際の画面遷移と、印刷されたラベルを示す図である。
【図６】端末機器が作成した印刷データに基づいて印刷を実行可能なテープ印刷装置であって、操作パネルを備えていないテープ印刷装置（第２印刷装置）の外観図である。
【図７】第２印刷装置の構成を示すブロック図である。
【図８】端末機器の外観図である。
【図９】端末機器の構成を示すブロック図である。
【図１０】ユーザーインターフェースとしてソフトウェアキーボードが選択された端末機器を操作して、ラベルを作成する際の画面遷移図である。
【図１１】図１０に続く画面遷移図である。
【図１２】図１１に続く画面遷移図である。
【図１３】図１２続く画面遷移と、第２印刷装置により印刷されたラベルを示す図である。
【図１４】端末ディスプレイに表示された機種Ａの装置イメージを示す図である。
【図１５】端末ディスプレイに表示された機種Ｂの装置イメージを示す図である。
【図１６】ユーザーインターフェースとして機種Ａの操作パネルイメージが選択された端末機器を操作して、ラベルを作成する際の画面遷移図である。
【図１７】図１６に続く画面遷移図である。
【図１８】図１７に続く画面遷移と、第２印刷装置により印刷されたラベルを示す図である。
【発明を実施するための形態】
【００１９】
以下、添付の図面を参照して、本発明に係る機器の一実施形態である端末機器Ｅと、端末機器Ｅが作成した印刷データに基づいて印刷を実行可能なテープ印刷装置とについて説明する。テープ印刷装置には、操作パネル１０１を備えたテープ印刷装置（以下「第１印刷装置１００」という。）と、操作パネル１０１を備えていないテープ印刷装置（以下「第２印刷装置２００」という。）とがある。
【００２０】
図１を参照して、第１印刷装置１００について説明する。第１印刷装置１００は、自身で作成した印刷データ、または、端末機器Ｅから受信した印刷データ、に基づいて、印刷を実行する。第１印刷装置１００は、操作パネル１０１と、装置ディスプレイ１０２と、カートリッジ装着部１０３と、テープ排出口１０４とを備えている。
【００２１】
操作パネル１０１は、ユーザーからの各種操作を受け付ける。操作パネル１０１には、文字キー群１１１と、印刷キー１１５とが設けられている。文字キー群１１１は、複数のキーを備えており、各キーは、アルファベット等の各文字を入力する操作を受け付ける。なお、文字には、数字、記号等が含まれる。印刷キー１１５は、印刷実行を指示する操作を受け付ける。
【００２２】
ここで、第１印刷装置１００は、操作パネル１０１の仕様、すなわち操作パネル１０１を構成するキーの配列、が異なる複数の機種を備えている。例えば、図２に示した機種（以下「機種Ａ」という。）と、図３に示した機種（以下「機種Ｂ」という。）とを比較すると、機種Ａでは、印刷キー１１５が、文字キー群１１１の奥側左方に設けられているのに対し、機種Ｂでは、文字キー群１１１の奥側右方に設けられている等の点で、キーの配列が異なっている。
【００２３】
図１に戻り、装置ディスプレイ１０２は、操作パネル１０１の各キーに対する操作によって所定の表示を行う。例えば、装置ディスプレイ１０２は、文字キー群１１１に対する操作によって入力された文字を表示する。カートリッジ装着部１０３には、テープカートリッジＣが着脱可能に装着される。なお、テープカートリッジＣは、テープＴと、インクリボンＲとを備えている。カートリッジ装着部１０３には、印刷ヘッド（図示省略）が設けられている。印刷ヘッドは、カートリッジ装着部１０３に装着されたテープカートリッジＣのテープＴに対して、サーマル方式により印刷を行う。
【００２４】
テープ排出口１０４は、装着されたテープカートリッジＣから繰り出され、印刷が為されたテープＴが排出される箇所である。カートリッジ装着部１０３とテープ排出口１０４との間には、カッター（図示省略）が設けられている。カッターは、テープＴを幅方向に切断する。これにより、テープＴの印刷済み部分が切り離される。
【００２５】
図４を参照して、第１印刷装置１００の構成について説明する。第１印刷装置１００は、操作パネル１０１と、装置ディスプレイ１０２と、印刷部１０５と、装置側表示制御回路１０６と、印刷制御回路１０７と、装置側通信部１０９と、装置側制御部１０８とを備えている。
【００２６】
印刷部１０５は、上記した印刷ヘッドおよびカッターのほか、カッターを駆動するモーター、テープＴおよびインクリボンＲを送る駆動源となるモーターなどを備えている。装置側表示制御回路１０６は、装置側制御部１０８からの制御信号に基づいて、装置ディスプレイ１０２を制御する。印刷制御回路１０７は、装置側制御部１０８からの制御信号に基づいて、印刷部１０５の各構成要素を制御する。装置側通信部１０９は、端末機器Ｅとの間で無線通信を行う。なお、無線通信の方式としては、例えば、無線ＬＡＮ（Local Area Network）、Bluetooth（登録商標）などを利用することができる。
【００２７】
装置側制御部１０８は、ＣＰＵ１８１（Central Processing Unit）と、ＲＯＭ１８２（Read Only Memory）と、ＲＡＭ１８３（Random Access Memory）とを備えており、第１印刷装置１００全体を統括制御する。
【００２８】
ＣＰＵ１８１は、ＲＯＭ１８２内に格納されたプログラムを読み出し、ＲＡＭ１８３を用いて各種演算処理を実行する。
【００２９】
ＲＯＭ１８２には、表示制御プログラム、印刷データ作成プログラム、印刷制御プログラム、および送受信制御プログラムが格納されている。表示制御プログラムは、操作パネル１０１に対する操作によって入力された文字のコードデータに対応させて、装置ディスプレイ１０２を制御するためのプログラムである。印刷データ作成プログラムは、ＲＡＭ１８３内のテキストメモリー１８４（後述する）に格納された文字について、印刷に供される印刷データ（ここではドットパターンデータ）を作成するためのプログラムである。印刷制御プログラムは、１ドット列ごとのドットパターンデータを、印刷部１０５の印刷ヘッドおよび送りモーターに順次出力して、印刷を行うためのプログラムである。送受信制御プログラムは、端末機器Ｅとの間のデータの送受信を制御するためのプログラムである。
【００３０】
ＲＡＭ１８３には、ＣＰＵ１８１による演算結果が一時的に格納されるメモリーのほか、テキストメモリー１８４と、印刷バッファー１８５と、受信バッファー１８６とが設けられている。テキストメモリー１８４には、操作パネル１０１の文字キー群１１１から入力された文字のコードデータから成るテキストデータが格納される。印刷バッファー１８５には、テキストメモリー１８４に格納されたテキストデータに対応するドットパターンデータが展開して格納される。受信バッファー１８６には、端末機器Ｅから受信したデータが格納される。端末機器Ｅから送信され、受信バッファー１８６に格納されるデータには、ドットパターンデータが含まれる。
【００３１】
図５を参照して、第１印刷装置１００を操作してラベルＬを作成する際の操作手順について説明する。電源が入れられると、装置ディスプレイ１０２は、初期画面を表示した後、入力編集画面１２１を表示する。続いて、文字キー群１１１のなかから「Ａ」のキーが押されると、入力編集画面１２１には、「Ａ」と表示される。なお、入力編集画面１２１の右上には、入力が確定した文字に基づく印刷イメージが表示される。続いて、文字キー群１１１のなかから「Ｂ」のキーが押されると、入力編集画面１２１には、「ＡＢ」と表示され、さらに、文字キー群１１１のなかから「Ｃ」のキーが押されると、入力編集画面１２１には、「ＡＢＣ」と表示される。そして、印刷キー１１５が押されると、文字キー群１１１に対する操作によって入力された文字に基づいて、装置側制御部１０８が印刷データを作成する。印刷部１０５は、作成された印刷データに基づいて、テープＴに対して印刷を行った後、自動カットを行う。これにより、「ＡＢＣ」の文字列が印刷されたラベルＬが作成される。
【００３２】
図６を参照して、第２印刷装置２００について説明する。第２印刷装置２００は、端末機器Ｅから受信した印刷データに基づいて印刷を実行する。第２印刷装置２００は、カートリッジ装着部２０３と、テープ排出口２０４とを備えている。第２印刷装置２００は、操作パネル１０１および装置ディスプレイ１０２を備えていない点を除き、第１印刷装置１００と略同様に構成されている。
【００３３】
図７を参照して、第２印刷装置２００の構成について説明する。第２印刷装置２００は、印刷部２０５と、印刷制御回路２０７と、装置側通信部２０９と、装置側制御部２０８とを備えている。第２印刷装置２００の印刷部２０５、印刷制御回路２０７および装置側通信部２０９は、第２印刷装置２００の印刷部１０５、印刷制御回路１０７および装置側通信部１０９と、それぞれ略同様に構成されている。
【００３４】
装置側制御部２０８は、ＣＰＵ２８１と、ＲＯＭ２８２と、ＲＡＭ２８３とを備えており、第２印刷装置２００全体を統括制御する。
【００３５】
ＣＰＵ２８１は、ＲＯＭ２８２内に格納されたプログラムを読み出し、ＲＡＭ２８３を用いて各種演算処理を実行する。ＲＯＭ２８２には、印刷制御プログラム、送受信制御プログラムが格納されている。印刷制御プログラムおよび送受信制御プログラムは、第１印刷装置１００のＲＯＭ１８２に格納された印刷制御プログラムおよび送受信制御プログラムと、それぞれ略同様に構成されている。ＲＡＭ２８３には、ＣＰＵ２８１による演算結果が一時的に格納されるメモリーのほか、受信バッファー２８６が設けられている。受信バッファー２８６は、第１印刷装置１００のＲＡＭ１８３に設けられた受信バッファー１８６と略同様に機能する。
【００３６】
図８を参照して、端末機器Ｅについて説明する。端末機器Ｅは、第１印刷装置１００または第２印刷装置２００に送信される印刷データを作成する。端末機器Ｅは、例えば、タブレット端末、スマートフォン、パソコン等である。端末機器Ｅは、タッチパネル１を備えている。タッチパネル１は、各種画面を表示し、また、ユーザーによるタップ等の操作を受け付ける。
【００３７】
図９を参照して、端末機器Ｅの構成について説明する。端末機器Ｅは、タッチパネル１と、端末側表示制御回路２と、端末側通信部７と、無線通信部３と、端末側制御部４とを備えている。
【００３８】
タッチパネル１は、端末ディスプレイ５と、タッチセンサー６とを備えている。端末ディスプレイ５は、各種画面を表示する。タッチセンサー６は、端末ディスプレイ５の画面内でタップ等の操作が行われた場所を検出する。端末側表示制御回路２は、端末側制御部４からの制御信号に基づいて、端末ディスプレイ５を制御する。
【００３９】
端末側通信部７は、第１印刷装置１００または第２印刷装置２００との間で無線通信を行う。無線通信部３は、移動体通信網や無線ＬＡＮアクセスポイントを介して通信ネットワークに接続し、サーバー等との間で無線通信を行う。
【００４０】
端末側制御部４は、ＣＰＵ４１と、ＲＯＭ４２と、ＲＡＭ４３とを備え、端末機器Ｅ全体を統括制御する。
【００４１】
ＣＰＵ４１は、ＲＯＭ４２内に格納されたプログラムを読み出し、ＲＡＭ４３を用いて各種演算処理を実行する。
【００４２】
ＲＯＭ４２には、表示制御プログラム、送受信制御プログラムなどが格納されている。表示制御プログラムは、端末ディスプレイ５に対するタップ等の操作をタッチセンサー６が検出した結果に基づいて、端末ディスプレイ５を制御するためのプログラムである。送受信制御プログラムは、第１印刷装置１００または第２印刷装置２００との間のデータの送受信を制御するためのプログラムである。
【００４３】
ＲＯＭ４２には、さらに、第１印刷装置１００または第２印刷装置２００に供給する印刷データを作成するためのアプリケーションソフトウェア（以下「印刷データ作成アプリ」という。）が記憶されている。印刷データ作成アプリは、例えば、所定のサーバー（Ｗｅｂサイト）から、無線通信部３を介してダウンロードされ、ＲＯＭ４２にインストールされている。
【００４４】
ＲＡＭ４３には、ＣＰＵ４１による演算結果が一時的に格納されるメモリーのほか、テキストメモリー４４と、供給データメモリー４５とが設けられている。テキストメモリー４４には、後述するように、端末ディスプレイ５に対する操作によって入力された文字のコードデータから成るテキストデータが格納される。供給データメモリー４５には、第１印刷装置１００または第２印刷装置２００に供給される印刷データが格納される。
【００４５】
図１０ないし図１３を参照して、ユーザーインターフェースとしてソフトウェアキーボード５２２が選択された端末機器Ｅを操作して、ラベルＬを作成する場合の操作手順について説明する。図１０に示すように、端末機器Ｅにおいて印刷データ作成アプリが起動されると、端末ディスプレイ５は、メイン画面５１を表示する。メイン画面５１には、印刷イメージ表示欄５１１と、インターフェース選択欄５１２と、印刷アイコン５１３と、メニューアイコン５１４とが表示される。
【００４６】
印刷イメージ表示欄５１１には、印刷イメージが表示される。この印刷イメージは、後述するソフトウェアキーボード５２２に対する操作によって入力された文字に基づいて作成されるものである。
【００４７】
インターフェース選択欄５１２には、印刷データ作成アプリにおいて使用されるユーザーインターフェースが、選択可能に表示される。ユーザーインターフェースの選択肢としては、「キーボード」、「機種Ａ」および「機種Ｂ」が表示されている。ここでは、「キーボード」がデフォルトで選択されている。
【００４８】
印刷アイコン５１３は印刷実行を指示する操作を受け付ける。メニューアイコン５１４は、メニューの選択肢を呼び出すための操作を受け付ける。
【００４９】
メイン画面５１において、メニューアイコン５１４がタップされると、「新規設定」等のメニューが選択可能に表示される。インターフェース選択欄５１２において「キーボード」が選択された状態で、複数のメニューのなかから「新規設定」メニューがタップされると、キーボード入力画面５２が表示される。なお、インターフェース選択欄５１２において「機種Ａ」または「機種Ｂ」が選択されていた場合については、後述する。
【００５０】
キーボード入力画面５２には、入力文字表示欄５２１と、ソフトウェアキーボード５２２と、完了ボタン５２３とが表示される。入力文字表示欄５２１には、ソフトウェアキーボード５２２に対する操作によって入力された文字が表示される。ソフトウェアキーボード５２２は、アルファベット等の各文字を入力する操作を受け付ける。完了ボタン５２３は、文字の入力操作の完了後に、メイン画面５１に戻るための操作を受け付ける。
【００５１】
図１１に示すように、例えば、キーボード入力画面５２において、ソフトウェアキーボード５２２のなかから「Ａ」のキーがタップされると、入力文字表示欄５２１に「Ａ」が表示される。続いて、ソフトウェアキーボード５２２のなかから「Ｂ」のキーがタップされると、入力文字表示欄５２１に「ＡＢ」が表示される。続いて、図１２に示すように、ソフトウェアキーボード５２２のなかから「Ｃ」のキーがタップされると、入力文字表示欄５２１に「ＡＢＣ」が表示される。
【００５２】
続いて、完了ボタン５２３がタップされ、メイン画面５１に戻ると、印刷イメージ表示欄５１１には、キーボード入力画面５２においてソフトウェアキーボード５２２に対する操作によって入力された文字に基づく印刷イメージが表示される。
【００５３】
そして、図１３に示すように、印刷アイコン５１３がタップされると、ソフトウェアキーボード５２２に対する操作によって入力された文字に基づいて、端末側制御部４が印刷データを作成し、端末側通信部７が、作成された印刷データを第２印刷装置２００に送信する。第２印刷装置２００は、受信した印刷データに基づいて、テープＴに対して印刷を行った後、自動カットを行う。これにより、「ＡＢＣ」の文字列が印刷されたラベルＬが、第２印刷装置２００のテープ排出口２０４から排出される。なお、ここでは、作成された印刷データが第２印刷装置２００に供給されるものとするが、第１印刷装置１００に供給される場合についても、上記の説明は同様に当てはまる。
【００５４】
このように、ユーザーインターフェースとしてソフトウェアキーボード５２２が選択された端末機器Ｅを操作して、「ＡＢＣ」の文字列が印刷されたラベルＬを作成する場合、ユーザーは、キーボード入力画面５２が表示された後、「Ａ」のキー、「Ｂ」のキー、「Ｃ」のキー、および完了ボタン５２３を順にタップし、メイン画面５１に切り替わった後、さらに印刷アイコン５１３をタップすることになる。一方、上述したように、第１印刷装置１００を操作して、「ＡＢＣ」の文字列が印刷されたラベルＬを作成する場合、ユーザーは、入力編集画面１２１が表示された後、「Ａ」のキー、「Ｂ」のキー、「Ｃ」のキー、および印刷キー１１５を順に押すことになる（図５参照）。つまり、ユーザーインターフェースとしてソフトウェアキーボード５２２が選択された端末機器Ｅの操作性は、第１印刷装置１００の操作パネル１０１の操作性とは異なっている。
【００５５】
したがって、第１印刷装置１００の操作パネル１０１を使い慣れたユーザーにとっては、ユーザーインターフェースとしてソフトウェアキーボード５２２が選択された場合に、端末機器Ｅを思うように操作することができず、不便である。例えば、第１印刷装置１００の操作パネル１０１を使い慣れたユーザーは、印刷アイコン５１３が、ソフトウェアキーボード５２２と共にキーボード入力画面５２に表示されているはずだと考え、キーボード入力画面５２に印刷アイコン５１３がないか探してしまう。そこで、端末機器Ｅでは、第１印刷装置１００の操作パネル１０１のイメージである操作パネルイメージ１０１ａ（図１４および図１５参照）に対して操作を行うことができるようになっている。
【００５６】
メイン画面５１に表示されたインターフェース選択欄５１２（図１０参照）において「機種Ａ」または「機種Ｂ」が選択された状態で、メニューアイコン５１４から呼び出された「新規設定」メニューがタップされると、イメージ入力画面５３が表示される。
【００５７】
イメージ入力画面５３には、第１印刷装置１００のイメージである装置イメージ１００ａが表示される。インターフェース選択欄５１２で「機種Ａ」が選択されていた場合には、図１４に示すように、装置イメージ１００ａとして、図２に示した機種Ａのイメージが表示される。インターフェース選択欄５１２で「機種Ｂ」が選択されていた場合には、図１５に示すように、装置イメージ１００ａとして、図３に示した機種Ｂのイメージが表示される。
【００５８】
装置イメージ１００ａには、操作パネルイメージ１０１ａと、ディスプレイイメージ１０２ａとが含まれる。操作パネルイメージ１０１ａは、操作パネル１０１のイメージである。操作パネルイメージ１０１ａには、文字キー群イメージ１１１ａと、印刷キーイメージ１１５ａとが含まれる。文字キー群イメージ１１１ａは、文字キー群１１１のイメージであり、文字入力の操作を受け付ける。印刷キーイメージ１１５ａは、印刷キー１１５のイメージであり、印刷実行を指示する操作を受け付ける。機種Ａの操作パネルイメージ１０１ａにおける各キーのイメージの配列は、機種Ａの操作パネル１０１における各キーの配列と同じである。同様に、機種Ｂの操作パネルイメージ１０１ａにおける各キーのイメージの配列は、機種Ｂの操作パネル１０１における各キーの配列と同じである。ディスプレイイメージ１０２ａは、装置ディスプレイ１０２のイメージであり、文字キー群イメージ１１１ａに対する操作によって入力された文字を表示する。
【００５９】
図１６ないし図１８を参照して、ユーザーインターフェースとして機種Ａの操作パネルイメージ１０１ａが選択された端末機器Ｅを操作して、ラベルＬを作成する場合の操作手順について説明する。なお、以下の説明は、ユーザーインターフェースとして機種Ｂの操作パネルイメージ１０１ａが選択された場合にも、同様に当てはまる。
【００６０】
図１６に示すように、イメージ入力画面５３において、文字キー群イメージ１１１ａのなかから「Ａ」のキーのイメージがタップされると、「Ａ」を表示したディスプレイイメージ１０２ａが表示される。続いて、図１７に示すように、文字キー群イメージ１１１ａのなかから「Ｂ」のキーのイメージがタップされると、「ＡＢ」を表示したディスプレイイメージ１０２ａが表示される。続いて、文字キー群イメージ１１１ａのなかから「Ｃ」のキーのイメージがタップされると、図１８に示すように、「ＡＢＣ」を表示したディスプレイイメージ１０２ａが表示される。
【００６１】
そして、イメージ入力画面５３において、印刷キーイメージ１１５ａがタップされると、文字キー群イメージ１１１ａに対する操作によって入力された文字に基づいて、端末側制御部４が印刷データを作成し、端末側通信部７が、作成された印刷データを第２印刷装置２００に送信する。第２印刷装置２００は、受信した印刷データに基づいて、テープＴに対して印刷を行った後、自動カットを行う。これにより、「ＡＢＣ」の文字列が印刷されたラベルＬが、第２印刷装置２００のテープ排出口２０４から排出される。
【００６２】
このように、ユーザーインターフェースとして機種Ａの操作パネルイメージ１０１ａが選択された端末機器Ｅを操作して、「ＡＢＣ」の文字列が印刷されたラベルＬを作成する場合、ユーザーは、機種Ａの操作パネルイメージ１０１ａにおいて、「Ａ」のキーのイメージ、「Ｂ」のキーのイメージ、「Ｃ」のキーのイメージ、および印刷キーイメージ１１５ａを順にタップすることになる。つまり、ユーザーインターフェースとして機種Ａの操作パネルイメージ１０１ａが選択された端末機器Ｅの操作性は、機種Ａの操作パネル１０１の操作性と同様である。
【００６３】
このため、例えば、機種Ａの操作パネル１０１に使い慣れているユーザーは、機種Ａが手元に無い場合にも、端末機器Ｅが手元にあれば、端末機器Ｅのユーザーインターフェースとして機種Ａの操作パネルイメージ１０１ａを選択することにより、機種Ａを操作するのと同様にして、ラベルＬを得ることができる。同様に、機種Ｂの操作パネル１０１に使い慣れているユーザーは、手元に機種Ｂがない場合にも、端末機器Ｅが手元にあれば、端末機器Ｅのユーザーインターフェースとして「機種Ｂ」を選択することにより、機種Ｂを操作するのと同様にして、ラベルＬを得ることができる。
【００６４】
以上、本実施形態の端末機器Ｅでは、端末ディスプレイ５が、第１印刷装置１００の操作パネル１０１のイメージである、操作パネルイメージ１０１ａを表示する。この第１印刷装置１００は、操作パネル１０１に対する操作によって印刷データを作成するものである。また、タッチセンサー６が、操作パネルイメージ１０１ａに対する操作を検出する。そして、端末側制御部４が、操作パネルイメージ１０１ａに対する操作の検出に基づいて、印刷データを作成する。
この構成では、ユーザーが、操作パネル１０１に対して操作を行うのと同様にして、端末ディスプレイ５に表示された操作パネルイメージ１０１ａに対して操作を行うことができる。そして、端末側制御部４が、操作パネルイメージ１０１ａに対する操作の検出に基づいて、印刷データを作成する。したがって、本構成によれば、第１印刷装置１００の操作パネル１０１と同等の使い勝手で端末機器Ｅをユーザーに操作させ、印刷データを作成することができる。
【００６５】
また、本実施形態の端末機器Ｅでは、端末ディスプレイ５が、機種Ａおよび機種Ｂを選択可能に表示し、いずれかの機種を選択させる。そして、操作パネルイメージ１０１ａを表示する際に、端末ディスプレイ５が、操作パネルイメージ１０１ａとして、選択された機種の操作パネル１０１のイメージを表示する。
この構成では、ユーザーが、複数の機種のなかから、所望の機種、例えば使い慣れた機種、を選択することができる。したがって、本構成によれば、所望の機種の操作パネル１０１と同等の使い勝手で、端末機器Ｅをユーザーに操作させることができる。
なお、選択肢となる機種としては、操作パネル１０１を備えたものであればよく、端末機器Ｅとの通信機能を有していなくてもよい。
【００６６】
また、本実施形態の端末機器Ｅでは、操作パネルイメージ１０１ａを表示する際に、端末ディスプレイ５が表示する操作パネルイメージ１０１ａには、文字キー群１１１のイメージであり、文字の入力操作を受け付ける文字キー群イメージ１１１ａが含まれる。また、印刷データを作成する際に、端末側制御部４が、文字キー群イメージ１１１ａに対する操作によって入力された文字に基づいて、印刷データを作成する。
この構成では、ユーザーが、文字キー群１１１に対して操作を行うのと同様にして、端末ディスプレイ５に表示された文字キー群イメージ１１１ａに対して操作を行うことができる。そして、端末側制御部４が、文字キー群イメージ１１１ａに対する操作によって入力された文字に基づいて、印刷データを作成する。したがって、本構成によれば、第１印刷装置１００の文字キー群１１１と同等の使い勝手で端末機器Ｅをユーザーに操作させ、印刷データを作成することができる。
【００６７】
また、本実施形態の端末機器Ｅでは、端末ディスプレイ５が、装置ディスプレイ１０２のイメージであり、文字キー群イメージ１１１ａに対する操作によって入力された文字を表示したディスプレイイメージ１０２ａを表示する。
この構成によれば、文字キー群イメージ１１１ａに対する操作によって入力された文字をユーザーに確認させながら、端末機器Ｅをユーザーに操作させることができる。
【００６８】
また、本実施形態の端末機器Ｅでは、端末側通信部７が、作成された印刷データを、第１印刷装置１００または第２印刷装置２００に対して送信する。
この構成によれば、第１印刷装置１００が手元に無い場合でも、第１印刷装置１００の文字キー群イメージ１１１ａと同等の使い勝手で端末機器Ｅをユーザーに操作させることにより、第１印刷装置１００または第２印刷装置２００に印刷を行わせることができる。
【００６９】
なお、端末側制御部４は、「機器機能実行部」の一例である。端末ディスプレイ５は、「機器表示部」の一例である。タッチセンサー６は、「検出部」の一例である。端末側通信部７は、「データ送信部」の一例である。操作パネル１０１は、「操作部」の一例である。操作パネルイメージ１０１ａは、「操作部イメージ」の一例である。装置ディスプレイ１０２は、「装置表示部」の一例である。ディスプレイイメージ１０２ａは、「表示部イメージ」の一例である。装置側制御部１０８は、「装置機能実行部」の一例である。文字キー群１１１は、「文字入力部」の一例である。文字キー群イメージ１１１ａは、「文字入力部イメージ」の一例である。
【００７０】
本発明は上記した実施形態に限定されず、その趣旨を逸脱しない範囲で種々の構成を採用可能であることは言うまでもない。例えば、本実施形態は、以下のような形態に変更することができる。
【００７１】
端末機器Ｅは、端末ディスプレイ５に表示された装置の操作部に対する操作によって、印刷データ作成以外の機能を実行するようにしてもよい。例えば、通話機能を有する端末機器Ｅの場合、電話機の操作部（押しボタン、回転ダイヤル等）のイメージを端末ディスプレイ５に表示し、表示された押しボタンのイメージまたは回転ダイヤルのイメージに対する操作によって、電話番号を発信するようにしてもよい。また、撮影機能を有する端末機器Ｅの場合、カメラの操作部（シャッター、レンズ等）のイメージを端末ディスプレイ５に表示し、表示されたシャッターのイメージに対する操作によって、撮影を実行し、表示されたレンズのイメージに対する操作によって、フォーカス等を調整するようにしてもよい。
【符号の説明】
【００７２】
４…端末側制御部、５…端末ディスプレイ、６…タッチセンサー、１００…第１印刷装置、１０１…操作パネル、１０１ａ…操作パネルイメージ、１０８…装置側制御部、Ｅ…端末機器
【図１】
2017058748.tif 000003
【図２】
2017058748.tif 000004
【図３】
2017058748.tif 000005
【図４】
2017058748.tif 000006
【図５】
2017058748.tif 000007
【図６】
2017058748.tif 000008
【図７】
2017058748.tif 000009
【図８】
2017058748.tif 000010
【図９】
2017058748.tif 000011
【図１０】
2017058748.tif 000012
【図１１】
2017058748.tif 000013
【図１２】
2017058748.tif 000014
【図１３】
2017058748.tif 000015
【図１４】
2017058748.tif 000016
【図１５】
2017058748.tif 000017
【図１６】
2017058748.tif 000018
【図１７】
2017058748.tif 000019
【図１８】
2017058748.tif 000020